(57)【要約】【課題】シールドトンネルのセグメントに埋設されたインサートの施工誤差による影響を吸収可能な仮設内部支保工の固定治具を提供すること。【解決手段】セグメント１２によって形成されたシールドトンネルＴの内面に沿って配置された仮設内部支保工２のセグメント１２への固定治具３であって、固定治具３は抑え材３１とボルト３２とからなり、抑え材３１はセグメント１２に埋設されたインサート１２１にボルト３２の締め付けによってセグメント１２に固定され、セグメント１２内面に沿って密着する仮設内部支保工２を構成する梁材２１のフランジ面２１１の両側端部を対向する抑え材３１，３１によって掛止されたこと。【選択図】図２
2020111995.tif 000002
【特許請求の範囲】
【請求項１】
セグメントによって形成されたシールドトンネルの内面に沿って配置された仮設内部支保工のセグメントへの固定治具であって、
前記固定治具は抑え材とボルトとからなり、
前記抑え材は前記セグメントに埋設されたインサートに前記ボルトの締め付けによって該セグメントに固定され、
前記セグメント内面に沿って密着する前記仮設内部支保工を構成する梁材のフランジ面の両側端部を対向する前記抑え材によって掛止されたことを特徴とする仮設内部支保工の固定治具。
【発明の詳細な説明】
【技術分野】
【０００１】
本発明は、シールドトンネル工事に用いられる仮設内部支保工のセグメントへの固定治具に関する。
【背景技術】
【０００２】
シールド工法におけるトンネル工事のうち、特に道路トンネルでは、緊急時の避難や点検を目的として、併設する上下線トンネル同士を横坑で接続するＵターン路や連絡道等が施工される場合があり、これらは地中内を非開削工法によるトンネルの一部を切開く作業を伴う。切開き対象範囲を含む同一リングのセグメントには、従来からガスによる溶断が可能な鋼製セグメントが用いられてきた。
切開き工事によるトンネルの不安定化を防ぐため、トンネル内には仮設内部支保工による補強工事が先行して行われる。この仮設内部支保工は、セグメントの切開きによって、それまでセグメントに作用していた軸力等の断面力を負担するため、仮設内部支保工とトンネルとを接続するトンネル内面形状に沿って固定される梁材には過大な滑り力が作用する。セグメントが鋼製であれば、セグメントを構成する縦リブ材等の仮設材を利用して梁材とセグメントとを比較的容易に固定することができる。
しかしながら近年、切開きに伴うトンネル全体の剛性低下の緩和とコストダウンの観点から、同一リングであっても、切開き箇所を含む最小範囲にのみ鋼製セグメントを適用し、それ以外はコンクリート系セグメントを適用する事例が増加してきており、梁材の設置範囲がコンクリート系セグメントに係る場合、セグメントへの梁材の固定手段が問題となる。
こうした仮設材をコンクリート系セグメントに固定する方法としては、一般に、予めセグメントに埋設したメス型インサートにボルトを螺着する方法が採用されるが、トンネルを構成するセグメントリングは、シールド機掘削時のヨーイング、ローリング、ピッチング等のトンネル断面方向の施工誤差やトンネル軸方向の伸縮による影響を受けやすく、インサートが所望する位置に配置されない可能性が高くなる。
参考までに、特許文献１には、トンネル内に内部支保工を設置し、一対のトンネルを連通させるトンネル軸方向の拡幅区間の一部に曲線パイプルーフを打設し、この曲線パイプルーフで地山を先受け支持しながら曲線パイプルーフ設置区間の上部空間を先行形成し、曲線パイプルーフ設置区間の上部空間を通じてトンネル軸方向に長尺鋼管を打設し、曲線パイプルーフ設置区間の上部空間を順次トンネル軸方向に延ばすように長尺鋼管で地山を先受け支持しながら長尺鋼管設置区間の上方の地山を掘削して、拡幅区間全体に亘って連通する上部空間を形成する形態が開示されている。
【先行技術文献】
【特許文献】
【０００３】
【特許文献１】特開２００９−４６８９７号公報
【発明の概要】
【発明が解決しようとする課題】
【０００４】
本発明は、シールドトンネルのセグメントに埋設されたインサートの施工誤差による影響を吸収可能な仮設内部支保工の固定治具を提供することを課題とする。
【課題を解決するための手段】
【０００５】
前記課題を解決するための本発明の仮設内部支保工の固定治具は、セグメントによって形成されたシールドトンネルの内面に沿って配置された仮設内部支保工のセグメントへの固定治具であって、前記固定治具は抑え材とボルトとからなり、前記抑え材は前記セグメントに埋設されたインサートに前記ボルトの締め付けによって該セグメントに固定され、前記セグメント内面に沿って密着する前記仮設内部支保工を構成する梁材のフランジ面の両側端部を対向する前記抑え材によって掛止されたことを特徴とする。
【発明の効果】
【０００６】
本発明の仮設内部支保工の固定治具を適用することにより、シールド工事に伴う種々の施工誤差によってインサートの位置が変動しても、仮設内部支保工を確実にセグメント内面に固定するこができる。
【図面の簡単な説明】
【０００７】
【図１】本発明の固定治具によりトンネル内面に固定された仮設内部支保工設置時のトンネル断面図である。
【図２】（ａ）本発明の固定治具の平面図である（図１のＡ−Ａ矢視）。（ｂ）本発明の固定治具の断面図である（図２（ａ）のＢ−Ｂ矢視）。
【発明を実施するための形態】
【０００８】
以下に、本発明の実施形態について、図面を参照しながら説明する。
図１に、本発明の固定治具によりトンネル内面に固定された仮設内部支保工設置時のトンネル断面図を示す。
地盤Ｇ内に構築された円形トンネルＴの外殻を形成する複数のセグメントピースからなる覆工１は、１リング断面内に、鋼製セグメント１１とコンクリート系セグメント１２の少なくとも２種類のセグメントから構成されている。併設する別なトンネルと横坑Ｓにより連接するため、横坑Ｓとの接続部を含む、止水や地山保持を目的として行われる薬液注入管（不図示）およびパイプルーフＰ等の施工範囲は、ガス溶断による切開き、注入管やパイプルーフの仕口等の仮設資機材の取付けや加工の容易さから鋼製セグメント１１が適用されている。
【０００９】
鋼製セグメント１１の切開きによってトンネルが不安定化することを防ぐため、セグメントに作用していた軸力等の断面力を一時的に受け替える目的として、切開きに先立ってトンネル内には仮設内部支保工２が配置されている。仮設内部支保工２は主にＨ形鋼材により構成され、覆工１の上下内面に沿ってトンネル断面方向に対向するように配置された梁材２１，２１と、トンネル軸方向に所定の間隔を開けて配置された上下の梁材２１，２１・・・の左右および上下に架設された根太材２２，２２，２２，２２と、対向する上下の根太材２２，２２間に配置された柱材２３と、からなる。本実施形態では、柱材２３に油圧による伸縮可能なジャッキ２４を介在させている。ジャッキ２４の上下にはそれぞれ複数の水平繋ぎ材２６，２６・・・と斜繋ぎ材２５，２５・・・を配置することによって、左右に間隔を開けて隣り合う柱材２３，２３同士を繋ぎ、仮設内部支保工２全体の剛性向上を図り、ジャッキ２４部の座屈を防止する。
【００１０】
図２（ａ）に、図１のＡ−Ａ矢視である本発明の固定治具の平面図を、同図（ｂ）に、同図（ａ）のＢ−Ｂ矢視である固定治具の断面図をそれぞれ示す。
覆工１の内面に沿ってトンネル断面方向に配置されたＨ形鋼材を主材とする梁材２１は、覆工１の内面形状と同様に円弧状を呈しており、上下に対向するフランジ２１１，２１１とウェブ２１２、ウェブ２１２に直行する複数の補剛材２１３，２１３・・・とによって形成されている。
本発明の固定治具３は、平面視平板状の抑え材３１とボルト３２とからなり、抑え材３１はコンクリート系セグメント１２に埋設された雌型のインサート１２１にボルト３２を螺着することで固定されている。抑え材３１は、断面視Ｌ字状を呈し、コンクリート系セグメント１２内面に沿って密着するように配置されたフランジ２１１の両側端部を対向する抑え材３１，３１によって掛止している。また、抑え材３１のフランジ２１１に掛かっている周面に沿って隅肉による溶接３３が施されている。フランジ２１１の両側面と抑え材３１，３１との間および補剛材２１３，２１３・・・と抑え材３１，３１・・・との間には隙間が設けられており、この隙間により、シールド工事に伴うトンネル断面および軸方向に生じる種々の施工誤差を吸収することを可能にしている。すなわち、この隙間の範囲内に梁材２１が設置されれば、溶接３３の総長は変わらないため、溶接３３による梁材２１のコンクリート系セグメント１２への固定強度も影響を受けないからである。
【００１１】
本発明の仮設内部支保工の固定治具を適用することにより、シールド工事に伴う種々の施工誤差によってインサートの位置が変動しても、仮設内部支保工を確実にセグメント内面に固定するこができる。
【００１２】
以上、本発明の実施形態について説明したが、本発明は前記の実施形態に限られず、本発明の趣旨を逸脱しない範囲で適宜変更が可能である。
【符号の説明】
【００１３】
Ｇ          地盤
Ｔ          トンネル
Ｐ          パイプルーフ
Ｓ          横坑
１          覆工
１１        鋼製セグメント
１２        コンクリート系セグメント
１２１      インサート
２          仮設内部支保工
２１        梁材
２１１      フランジ
２１２      ウェブ
２１３      補剛材
２２        根太材
２３        柱材
２４        ジャッキ
２５        斜繋ぎ材
２６        水平繋ぎ材
３          固定治具
３１        抑え材
３２        ボルト
３３        溶接
【図１】
2020111995.tif 000003
【図２】
2020111995.tif 000004